(57)【特許請求の範囲】
【請求項１】
第一アーム部と、
前記第一アーム部に所定間隔を開けて前記第一アーム部より高さの低い位置に設けた第二アーム部と、
対向して平行に設けられた一対のアーム軸と、を備え、
前記第一アーム部は前記一対のアーム軸より高い位置に配置し、
前記第二アーム部は前記一対のアーム軸より低い位置に配置し、
前記第一アーム部と第二アーム部に袋の把持部を支持させて開口させるようにしたことを特徴とする袋支持具。
【請求項２】
前記第一アーム部と第二アーム部には袋の把持部を引掛ける引掛け部を設けた請求項１に記載された袋支持具。
【請求項３】
前記第一アーム部と第二アーム部の少なくとも一方の自由端部には袋の把持部を係止させる係止部を設けた請求項１または２に記載された袋支持具。
【請求項４】
請求項１から３のいずれか１項に記載された袋支持具を備える集積台。
【請求項５】
請求項１から３のいずれか１項に記載された袋支持具を備える商品販売装置。
【請求項６】
操作者と対面するよう設けられた操作部と、
該操作部での操作により登録された商品の移動方向下流側に隣接して位置し、該商品が投入される袋を支持する袋支持具と、を備え、
該袋支持具は、前記操作者から離れた側に設けた第一アーム部と操作者側に設けた第二アーム部を有しており、
前記第二アーム部は前記第一アーム部より低い位置に配置されていると共に、前記操作部が配置される基台の高さと略同一の位置または該基台より低い位置に配置されていることを特徴とする商品販売装置。
【請求項７】
操作者と対面するよう設けられた操作部と、
該操作部での操作により登録された商品の移動方向下流側に隣接して位置し、該商品が投入される袋を支持する袋支持具と、を備え、
該袋支持具は、前記操作者から離れた側に設けた第一アーム部と操作者側に設けた第二アーム部を有しており、前記操作者側の第二アーム部は前記操作者から離れた側の第一アーム部より低い位置に配置され、
前記第一及び第二アーム部の先端が前記移動方向下流側を向くよう配置されていることを特徴とする商品販売装置。
【発明の詳細な説明】
【技術分野】
【０００１】
本発明は、買い物袋やレジ袋等の各種の袋を支持して開口から商品等を詰め込んで収納する袋支持具とこの袋支持具を設けた集積台及び商品販売装置に関する。
【背景技術】
【０００２】
従来、スーパーマーケット等の店舗で購入した商品を、レジで精算した後に客が自分で持ち込んだ袋であるマイバッグに収納して持ち帰ることがあり、省資源や環境保護等のために推奨されている。一方、客が購入した商品をレジで精算した後、レジ袋に直接商品を収納するための袋支持具がレジの横に設置されており、この袋支持具にマイバッグを取り付けて登録済みの商品を収納できるようにしたものが知られている。
【０００３】
例えば特許文献１に記載された袋支持具では、レジの横に設置された載置台にレジ側の背面壁と商品の落下を防ぐ側壁が互いに直交する方向に設けられている。背面壁には、レジ袋の一対の把持部を引掛けて開口させる一対の棒状のアーム部材と、その外側に設けていてマイバッグの一対の把持部を支持して開口させる一対のフックと、が備えられている。これらのアーム部材とフックはいずれも同一高さに設置されている。
そして、セルフ式商品販売データ処理装置では、客がレジで登録して会計した商品を背面壁とアーム部材とを乗り越えてマイバッグやレジ袋に詰め込む。また、通常のレジでは店員が同様にレジで登録した商品を背面壁とアーム部材を超えてマイバッグやレジ袋に詰め込むようになっている。
【先行技術文献】
【特許文献】
【０００４】
【特許文献１】特許第４９７２１３４号公報
【発明の概要】
【発明が解決しようとする課題】
【０００５】
しかし、マイバッグやレジ袋に登録済みの商品を詰め込む際、客や店員等の操作者が背面壁や棒状のアーム部材を超えて商品をマイバッグやレジ袋に詰め込むことは、背面壁やアーム部材が商品のスムーズな移動の障害になって煩雑であるという欠点があった。しかも、一対のフックやアーム部材は互いに同一高さに設置されているため、商品を開口したマイバッグやレジ袋に入れにくいという欠点もあった。そのため、従来の袋支持具ではスムーズに商品の袋詰めを行うことが困難であり、客を待たせることが多かった。
【０００６】
本発明は、このような実情に鑑みてなされたものであり、商品等を詰め込み易いように袋を開口して保持してスムーズに収納できるようにした袋支持具と袋支持具を設けた集積台及び商品販売装置を提供することを目的とする。
【課題を解決するための手段】
【０００７】
本発明に係る袋支持具は、第一アーム部と、第一アーム部に所定間隔を開けて第一アーム部より高さの低い位置に設けた第二アーム部と、対向して平行に設けられた一対のアーム軸と、を備え、第一アーム部は一対のアーム軸より高い位置に配置し、第二アーム部は一対のアーム軸より低い位置に配置し、前記第一アーム部と第二アーム部に袋の把持部を支持させて開口させるようにしたことを特徴とする。
本発明によれば、段差をつけた第一アーム部と第二アーム部にそれぞれ袋の把持部を支持させて開口させることで、袋の開口が傾斜状態に保持されるために商品等の物品を袋内に収納する作業がスムーズで詰め込みが容易である。
また、異なる種類の袋を１の袋支持具によって選択的に開口状態に保持して商品等の詰め込み作業をスムーズに行うことができ、第一アーム部と第二アーム部に取り付けた袋は第二アーム部が一対のアーム軸より外側で低い位置にあるため、袋の開口が傾斜していて商品の袋詰め等を容易に行える。
【０００８】
また、第一アーム部と第二アーム部には袋の把持部を引掛ける引掛け部を設けることが好ましい。
第一アーム部と第二アーム部に設けた引掛け部に袋の両側の把持部をそれぞれ引掛けることで、袋を開口させて開口を傾斜状態に保持することができる。
【０００９】
また、第一アーム部と第二アーム部の少なくとも一方の自由端部には袋の把持部を係止させる係止部を設けてもよい。
第一アーム部と第二アーム部の少なくとも一方に係止部を設けることで、開口状態の袋の把持部が第一アーム部や第二アーム部から外れることを阻止できる。
【００１１】
本発明による集積台は、上述したいずれかに記載された袋支持具を備えることを特徴としている。
また、本発明による商品販売装置は、上述したいずれかに記載された袋支持具を備えることを特徴としている。
本発明によれば、袋支持具の段差をつけた第一アーム部と第二アーム部にそれぞれ袋等の把持部を支持させて開口させると、袋の開口が傾斜しているために商品を袋内に詰め込む作業がスムーズで容易である。
【００１２】
本発明による商品販売装置は、操作者と対面するよう設けられた操作部と、該操作部での操作により登録された商品の移動方向下流側に隣接して位置し該商品が投入される袋を支持する袋支持具とを備え、袋支持具は、操作者から離れた側に設けた第一アーム部と操作者側に設けた第二アーム部を有しており、第二アーム部は前記第一アーム部より低い位置に配置されていると共に、操作部が配置される基台の高さと略同一または該基台より低い位置に配置されていることを特徴とする。
本発明によれば、第一アーム部と第二アーム部に把持部を取り付けた袋の開口が操作者側が低くなるように傾斜しているため、操作者が操作部で登録した商品をその流れに沿ってスムーズに袋の開口を通して袋内に詰め込むことができる。
しかも、操作部における基台の高さと略同一またはより低い位置に第二アーム部を設けたため袋の開口が操作部側に低く傾斜しており、袋内への商品の詰め込みが容易である。
【００１３】
また、本発明による商品販売装置は、操作者と対面するよう設けられた操作部と、
該操作部での操作により登録された商品の移動方向下流側に隣接して位置し、該商品が投入される袋を支持する袋支持具と、を備え、該袋支持具は、前記操作者から離れた側に設けた第一アーム部と操作者側に設けた第二アーム部を有しており、前記操作者側の第二アーム部は前記操作者から離れた側の第一アーム部より低い位置に配置され、前記第一及び第二アーム部の先端が前記移動方向下流側を向くよう配置されていることを特徴とする。
この場合には、商品の詰め込み後のマイバッグの取り外しと客の出店方向の移動が容易になる。
【発明の効果】
【００１４】
本発明に係る袋支持具と集積台と商品販売装置によれば、袋の把持部を支持する第一アーム部と第二アーム部の高さが異なるために袋を傾斜した状態で開口できて、作業者が商品等を袋の傾斜した開口を通してスムーズに且つ効率よく袋詰めすることができる。
【図面の簡単な説明】
【００１５】
【図１】本発明の実施形態による袋支持具を備えた精算装置を示す斜視図である。
【図２】図１に示す精算装置の正面図である。
【図３】図１に示す精算装置の側面図である。
【図４】精算装置に設けた袋支持具にレジ袋を取り付けた状態を示す斜視図である。
【図５】袋支持具にマイバッグを取り付けた状態を示す斜視図である。
【図６】実施形態による袋支持具の側面図である。
【図７】実施形態による袋支持具の平面図である。
【図８】実施形態による袋支持具の正面図である。
【図９】実施形態による袋支持具の変形例を示すものである。
【図１０】（ａ）は袋支持具の別の変形例を示す要部平面図であり、（ｂ）は同図（ａ）における袋支持具を逆向きに設置した要部平面図である。
【図１１】図１０（ａ）に示す袋支持具の斜視図である。
【発明を実施するための形態】
【００１６】
（実施形態）
以下、添付図面を参照して、本発明による袋支持具の実施形態を説明する。
本発明の実施形態による精算装置１に設けた袋支持具２について図１乃至図８により説明する。まず図１から図３に示すように、本実施形態による商品販売装置における精算装置１は例えば対面型のＰＯＳレジスタであり、基台３の上面において、店員が立つ後面Ｂ側に店員側表示部４、操作部５、バーコードスキャナ６等が設置され、店員が商品に設けたバーコード等で商品登録する。また、後面Ｂに対向する客が立つ前面Ｆ側に図示しない客側表示部、印刷部、貨幣投入部、つり銭支払部等が設置され、客が会計・精算する。
そのため、操作部としての精算装置１では、基台３の後面Ｂ側で店員が商品のバーコードをバーコードスキャナ６で読み込んで登録する。そして、基台３の前面Ｆ側で客が客側表示部に表示された登録金額に基づいて費用を貨幣投入部に投入して精算し、お釣りとレシートを受け取る。
【００１７】
そして、基台３の一方の側面３ａには一段低い載置台１０が設置され、載置台１０に対面する基台３の側面３ａの上部に袋支持具２が設置されている。基台３の載置台１０と反対側には商品を収納した買い物籠Ｇを載せる置台７が設置されている。なお、基台３と載置台１０の一方または両方は集積台を構成する。
図４から図８に示す袋支持具２は、基台３の側面３ａに取り付けられた金属製の基板１２を有しており、基板１２にはレジ袋Ｒを支持するための第一支持具１３とマイバッグＭを支持するための第二支持具１４とを固定している。図４に示すように、レジ袋Ｒは店舗において客に提供する規格化されたビニール袋であり、例えばポリオレフィン等で作られている。また、マイバッグＭは客が店舗に持ち込む袋であり、布やビニールや紙等、任意の材質と形状を有している。
基板１２は基台３の側面３ａの上部に固定された基部本体１２ａと基部本体１２ａから基台３の上面３ｂに折り曲げられた支持片１２ｂとを有している。支持片１２ｂには多数のレジ袋Ｒを束で支持するためのフック１６が形成されている。なお、基板１２において基部本体１２ａ以外のもの、例えば支持片１２ｂやフック１６等はなくてもよい。
【００１８】
また、基部本体１２ａにおいて、図４及び図５に示すように、レジ袋Ｒを支持する第一支持具１３は、一対の棒状のアーム軸１８が同一高さで水平方向に所定間隔を開けて平行に設けられている。各アーム軸１８は基部本体１２ａへの取り付け部付近が水平から斜め上方に傾斜した受け部１８ａを有し、多数のレジ袋Ｒが受け部１８ａに集積し易くなっている。各アーム軸１８の受け部１８ａに続く水平部１８ｂは長尺に延びており、その先端部１８ｃは若干下方に傾斜して水平に延びており、レジ袋Ｒを取り出し易いようにしている。
これら一対のアーム軸１８は基台３の上面３ｂより若干低い位置に設けられている。
【００１９】
また、図４及び図５に示すように、マイバッグＭを支持する第二支持具１４は第一支持具１３の一方のアーム軸１８より高い位置に設けた第一アーム部２０と低い位置に設けた第二アーム部２１とを有する段違い形状を有している。第一アーム部２０と第二アーム部２１は例えば棒状の金属部材で形成されている。高い位置に設けた第一アーム部２０は基板１２の基部本体１２ａから上方に延びる垂直部２０ａと略Ｌ字に曲がる段差部２０ｂと長尺の水平部２０ｃと下方に降下して上方に曲がる略Ｖ字状の係止部２０ｄとを有している。
【００２０】
マイバッグＭの把持部ｍ１は第一アーム部２０の水平部２０ｃを挟む段差部２０ｂと係止部２０ｄとに引掛けることができ、この部分を引掛け部というものとする。
また、第二アーム部２１は他方のアーム軸１８の下方の外側で基部本体１２ａに取り付けられていて、斜め下方に延びる平面内に形成されている。そのため把持部ｍ２が掛け易く第一支持具１３に掛けたレジ袋Ｒの邪魔にならない。この第二アーム部２１は、略コの字状の第一引掛け部２１ａと第二引掛け部２１ｂが連結部２１ｃを介して斜め下向きに連結され、先端には上方に延びて下方に降下する斜め下向きの逆Ｖ字状をなす係止部２１ｄが形成されてマイバッグＭの把持部ｍ２を引掛けることができる。
【００２１】
第二支持具１４において、第一アーム部２０はマイバッグＭの把持部ｍ１を引掛ける引掛け部が１つであり、第二アーム部２１は第一及び第二引掛け部２１ａ、２１ｂという２つの引掛け部を有している。そのため、マイバッグＭではその大きさに応じて把持部ｍ２を第二アーム部２１で１つまたは２つの引掛け部２１ａ、２１ｂを引掛ける３種類のいずれかの引掛け方を選択して弛まないように引掛けることができる。
【００２２】
従って、袋支持具２にレジ袋Ｒを取り付けて使用する場合には、図４に示すように、精算装置１における第一支持具１３の一対のアーム軸１８にレジ袋Ｒの一対の把持部ｒ１に形成した孔部を挿通し、フック１６に係止片ｒ２を係止させる。客が置台７に載置した買い物籠Ｇの商品を登録する際、レジ袋Ｒを袋支持具２における一対のアーム軸１８上の水平部１８ｂで把持部ｒ１を広げて載置台１０の載置面１０ａ上で開口を形成する。
そして、基台３の後面Ｂ側に立つ店員が買い物籠Ｇから商品を取り出してバーコードスキャナ６で商品のバーコードを読み取って登録する。登録後の商品はレジ袋Ｒの開口から詰め込むことができる。レジ袋Ｒへの商品の詰め込みが終了し、客による精算が完了した場合には、店員（または客）がレジ袋Ｒの把持部ｒ１、ｒ２を一対のアーム軸１８に沿って水平方向に引き抜くことで取り出すことができる。
【００２３】
次に、袋支持具２にマイバッグＭを取り付けて使用する場合には、図５に示すように、第二支持具１４の一組の第一アーム部２０と第二アーム部２１にマイバッグＭを取り付け載置面１０ａ上に載置する。取り付けに際し、マイバッグＭの一方の把持部ｍ１を高い位置にある第一アーム部２０の段差部２０ｂと係止部２０ｄの間に上から引掛けて係止する。他方の把持部ｍ２は低い位置にある第二アーム部２１の第一引掛け部２１ａ及び第二引掛け部２１ｂに上から引掛けて係止する。また、マイバッグＭが比較的小型の場合には第一引掛け部２１ａと第二引掛け部２１ｂの一方にのみ把持部ｍ２を引掛けて係止することができる。
【００２４】
この状態で、マイバッグＭは両方の把持部ｍ１、ｍ２を高さの異なる第一アーム部２０と第二アーム部２１に引掛けたため、開口が斜めに形成される。しかも高さの高い第一アーム部２０が客の立つ前面Ｆ側にあり、高さの低い第二アーム部２１が店員の立つ後面側にあるため、バーコードを読み取った商品を詰め込む店員側におけるマイバッグＭの開口が低い位置にあり、店員による商品の詰め込みがスムーズで容易になる。
そして、マイバッグＭへの商品の詰め込みが終了した場合には、店員（または客）がマイバッグＭの把持部ｍ１、ｍ２を第一アーム部２０の段差部２０ｂ及び係止部２０ｄの間と、第二アーム部２１の第一引掛け部２１ａ及び第二引掛け部２１ｂとから上に抜き取ることで取り出すことができる。
【００２５】
図７において、袋支持具２に対して商品をマイバッグＭやレジ袋Ｒに詰め込む店員を符号Ｔで示し、客を符号Ｋで示すものとして、店員Ｔは精算装置１で登録した商品を基台３の上面３ｂより低い位置で袋支持具２に引掛けたマイバッグＭ（またはレジ袋Ｒ）に詰め込む。そして、客Ｋは精算装置１で商品のお金を払い、店員Ｔが袋支持具２から取り外したマイバッグＭを受け取って、登録、会計、商品の詰め込みの流れに沿って矢印方向の出口に向かうことができる。
そのため、店員Ｔによる買い物籠Ｇから基台３上でのバーコードスキャナ６による商品の読み込み、客Ｋによる商品の会計、基台３の上面３ｂより低い位置での店員ＴによるマイバッグＭの開口への商品の詰め込み、客ＫへのマイバッグＭの手渡し等の行為を、客Ｋの流れに沿ってスムーズに行うことができる。
【００２６】
従って、本実施形態による精算装置１の袋支持具２によれば、第二支持具１４の高さの異なる第一アーム部２０及び第二アーム部２１に把持部ｍ１、ｍ２を上から引掛けることでマイバッグＭを店員側に傾斜させた状態で開口させることができる。そのため、形状や材質の異なるマイバッグＭであっても開口状態に保持して、スムーズに精算装置１のバーコードスキャナ６で商品を読み込んでマイバッグＭに詰め込むことができる。そして、店員Ｔによる商品の登録と開口状態のマイバッグＭへの詰め込み、客Ｋによる会計及びマイバッグＭの受け取りと、客Ｋが退店する方向である客捌き方向にスムーズに流れ作業を行うことができる。
また、第二アーム部２１に第一及び第二引掛け部２１ａ、２１ｂを設けたから、大きさの異なるマイバッグＭであっても容易に取り付けることができる。
更に、第二支持具１４における第一アーム部２０の自由端部に上方に屈曲する係止部２０ｄを設け、第二アーム部２１の自由端部に斜め下向きの係止部２１ｄを設けたため、第二支持具１４に引掛けたマイバッグＭは容易に外れない。
【００２７】
なお、本発明による袋支持具２は、上述した実施形態に限定されるものではなく、本発明の要旨を逸脱しない限り、上記実施の形態の構成を適宜置換したり変更したりすることができる。これらも本発明の技術的範囲に含められる。以下に、本発明による袋支持具２の変形例等について説明するが、上述した実施形態と同一または同様な部品や部分等については同一の符号を用いて説明する。
【００２８】
（変形例）
次に精算装置１における基台３と袋支持具２との配置構成の変形例について図９から図１１により説明する。
図９は基台３の側面３ａと袋支持具２が基台３に対して斜めに形成されている場合を示す。この場合でも、基台３の側面３ａに沿って袋支持具２を斜めに設定することで、店員Ｔによる商品の読み取りとマイバッグＭ（またはレジ袋Ｒ）への詰め込み、客Ｋによる会計、客ＫへのマイバッグＭの手渡しと退店を客流れ方向に沿ってスムーズに行うことができる。
【００２９】
図１０（ａ）、（ｂ）は上記実施形態とは袋支持具２を９０度異なる向きに設置したものである。図１０（ａ）では右側から左側に向けて店員Ｔが商品をバーコードスキャナ６で読み込んでマイバッグＭ（またはレジ袋Ｒ）に詰め込み、客は精算装置１で会計して店員からマイバッグＭを受け取って退出する。図１０（ｂ）では、左側から右側に向けて商品を移送し、客も同一方向に移動して退店することになる。
【００３０】
次に、図１０（ａ）に示す袋支持具２と基台３の配置を含む商品販売装置を斜視図で示すと図１１に示すようになる。この構成について説明する。
図１１に示す変形例では、基台３の側面３ａに直交する方向に基板１２が床面から起立した様に設置されている。そして、袋支持具２では、基板１２から基台３の側面３ａと略平行な方向に第一支持具１３と第二支持具１４が延びて設置されている。第一支持具１３は一対のアーム軸１８が略平行に配列されている。第二支持具１４は一方のアーム軸１８や基台３の上面３ｂより高さが高い第一アーム部２０が側面３ａから離間した位置に設置され、他方のアーム軸１８や基台３の上面３ｂより高さが低い第二アーム部２１が側面３ａに近接する位置に斜め下方に向けて設置されている。しかも第二アーム部２１は基台３の高さと略同一または基台３より低い位置に配置されている。
なお、このような構成であっても、レジ袋Ｒの一対の把持部ｒ１に設けた孔に第一支持具１３を通して取り付けることができる。
【００３１】
従って、第二支持具１４の第一アーム部２０及び第二アーム部２１にマイバッグＭを引掛けた状態で、マイバッグＭの開口は客Ｋの出口への流れ方向に沿って基台３の上面３ｂの下側から上方に向けて傾斜して上面３ｂに対向する位置にあるため、上述した実施形態の袋支持具２よりも一層商品の詰め込みが容易でスムーズになる。しかもマイバッグＭへの商品の詰め込み工程を店員Ｔ側からも客Ｋ側からもよく視認できる上に、商品を詰め込んだマイバッグＭの客による第二支持具１４からの取り外しも容易になる。
なお、第一及び第二アーム部２０、２１の先端が商品の移動方向下流側を向くよう配置されていてもよく、この場合には商品の詰め込み後のマイバッグＭの取り外しと客の出店方向の移動が容易になる。
【００３２】
また、上述した実施形態や変形例による袋支持具２において、第二支持具１４における第一アーム部２０はマイバッグＭの把持部ｍ１を引掛ける引掛け部が１つであり、第二アーム部２１は把持部ｍ２を引掛ける２種の第一及び第二引掛け部２１ａ、２１ｂを有している。しかしながら、第一アーム部２０と第二アーム部２１における凹凸部による引掛け部の数は任意に設定できる。
また、第一アーム部２０及び第二アーム部２１に設けるマイバッグＭの把持部ｍ１、ｍ２の引掛け部は必ずしも略コの字形状でなくてもよく、例えば棒状や球状の突起等で形成してもよい。また、第二アーム部２１における連結部２１ｃを操作者の手が入る程度に幅広に設定すれば、マイバッグＭを第二支持具１４から取り外す際に連結部２１ｃに手を入れて片手で取り外すことができる。
【００３３】
また、上述した実施形態では、袋支持具２における第一支持具１３として一対のアーム軸１８を設け、第二支持具１４として別個に第一及び第二アーム部２０，２１を設けたが、第二アーム部２１を省略してその上側または近傍に配設した第一支持具１３のアーム軸１８を兼用し、第一アーム部２０とアーム軸１８の組み合わせによって第二支持具１４を構成するようにしてもよい。この場合には、マイバッグＭの把持部ｍ２を棒状のアーム軸１８に引掛けて係止させることができる。また、マイバッグＭの大きさの変化に対応できるように第一アーム部２０に第一及び第二引掛け部２１ａ、２１ｂに相当する複数の引掛け部を設けることが好ましい。
また、第二支持具１４の第一アーム２０は第一支持具１３の一方のアーム軸１８の真上に限定されることなく内側や外側に設けてもよい。また、第二アーム部２１は他方のアーム軸１８と同一高さに設けてもよい。要するにレジ袋Ｒへの袋詰めの邪魔にならない位置に設置できればよい。
【００３４】
また、上述した実施形態や変形例では、第一支持具１３と第二支持具１４の各アーム部を支える基板１２を基部として設置したが、基板１２に代えて第一支持具１３の各アーム軸１８や第二支持具１４における第一及び第二アーム部２０，２１を湾曲させて下方に延ばして床面に設置したり、基台３の側面３ａに直接固定したりしてもよい。この場合、各アーム部の湾曲した下側部分や側面３ａへの取り付け部が基部に相当する。
また、袋支持具２を支える基板１２を基台３の側面３ａに固定する取り付け型の構成に代えて、基板１２を側面視Ｌ字型の板材で形成し、載置台１０の載置面と基台３の側面３ａに各面を当接させたり更にねじ固定したりすることで、置き型または設置型の袋支持具２としてもよい。また、袋支持具２はカウンター上に設置した釣銭機のカバー側面に取り付けるようにしてもよい。
【００３５】
なお、上述した実施形態では袋支持具２の下側に載置台１０を設けて、第一支持具１３で支持されたレジ袋Ｒや第二支持具１４で支持されたマイバッグＭを載置面１０ａで支えるようにしたが、載置台１０は設けなくてもよい。
また、上述した実施形態では、第二支持具１４の第一及び第二アーム部２０，２１でマイバッグＭの把持部ｍ１、ｍ２を上から引掛けて保持するようにしたが、第二支持具１４によってレジ袋Ｒを引掛けて保持するようにしてもよい。或いは第一支持具１３における一対のアーム軸１８を高さ方向に段差を設けて配列させてレジ袋Ｒを保持するようにしてもよい。
【００３６】
また、上述した実施形態や変形例による袋支持具２では、精算装置１として対面型のＰＯＳレジスタを用いたが、これに限定されるものではなく各種の精算装置に袋支持具２を採用できる。例えば、先に客Ｋがお金を投入して客自身または店員による商品登録の完了後にボタンを押して会計し、お釣りとレシートが出てくるようなＰＯＳレジスタを採用してもよい。また、店員が商品の登録とマイバッグＭやレジ袋Ｒへの商品の詰め込みだけでなく、お金の出し入れやつり銭の支払い、レシートの印刷等も行うようなタイプのＰＯＳレジスタを採用してもよい。
また、本発明による袋支持具２は必ずしも精算装置１に接続した構成に限定されるものではなく、単独の袋支持具として用いてもよく、この場合には袋詰めコーナー等に設置できる。
【符号の説明】
【００３７】
１  精算装置
２  袋支持具
３  基台
１２  基板
１３  第一支持具
１４  第二支持具
１８  アーム軸
２０  第一アーム部
２０ｄ  係止部
２１  第二アーム部
２１ａ  第一引掛け部
２１ｂ  第二引掛け部
Ｍ  マイバッグ
ｍ１、ｍ２、ｒ１、ｒ２  把持部
Ｒ  レジ袋
【図１】
0006459584.tif 000002
【図２】
0006459584.tif 000003
【図３】
0006459584.tif 000004
【図４】
0006459584.tif 000005
【図５】
0006459584.tif 000006
【図６】
0006459584.tif 000007
【図７】
0006459584.tif 000008
【図８】
0006459584.tif 000009
【図９】
0006459584.tif 000010
【図１０】
0006459584.tif 000011
【図１１】
0006459584.tif 000012